(57)【要約】【課題】廃棄用袋を紙おむつ本体表面の一部に外見上見えない状態で取り付けられ、紙おむつの機能性に負の効果を与えないで衛生的に紙おむつを廃棄することを可能とする、利便性と美観性を有する紙おむつを提供することを目的とする。【解決手段】  廃棄用袋を折り畳んで厚みを最小化した状態で、紙おむつのフロントシートと紙おむつ本体表面の間、または二重の設置されるフロントシートの間に内在させ、紙おむつ装着時の袋離脱防止のために袋の端部は本体部に接着し、袋の取り出し口としてフロントシート上に切れ目またはミシン目を設け、必要なときに袋を取り出し使用できることを可能とする構造を備える。【選択図】図１
0003157230.tif 000002
【実用新案登録請求の範囲】
【請求項１】
使用後の紙おむつを、衛生的に廃棄するための廃棄用袋を紙おむつに取り付けた廃棄用袋付き紙おむつであって、
前記紙おむつは、前身頃と後ろ身頃を有する紙おむつ本体部と、後ろ身頃背中側左右両側部に止着され、それぞれ左右方向に延設されるファスニングテープ部と、前記ファスニングテープの後ろ身頃に止着されない側の他端を止着するためのフロントシート部と、廃棄用袋と、を備え、
前記フロントシート部は裏面外周部分に接着面を有し、裏面中央部分には接着面を有さない非接着部位を有し、紙おむつ本体前身頃腹側表面に接着され、
前記廃棄用袋は、前記フロントシート部裏側非接着部位と紙おむつ本体表面との隙間に、厚みを最小化するために薄い素材で折り畳んだ状態で設置され、
前記廃棄用袋は、使用後の紙おむつを廃棄時に汚物の臭いを最小限にするべく密封し得るように非通気性シート製であって、
前記廃棄袋は容易に紙おむつから離脱しないように設置され、
前記フロントシートの少なくとも1箇所には、中に収められている廃棄用袋の取り出し口が設けられ、
美観性と利便性を兼ね備えていることを特徴とする廃棄用袋付き紙おむつ。
【請求項２】
使用後の紙おむつを、衛生的に廃棄するための廃棄用袋を紙おむつに取り付けた廃棄用袋付き紙おむつであって、
前記紙おむつは、前身頃と後ろ身頃を有する紙おむつ本体部と、後ろ身頃背中側左右両側部に止着され、それぞれ左右方向に延設されるファスニングテープ部と、前記ファスニングテープの後ろ身頃に止着されない側の他端を止着するためのフロントシート部と、廃棄用袋と、を備え、
前記フロントシート部は、二枚重ねて紙おむつ本体部表面に設置され、
下側フロントシートは紙おむつ本体前身頃腹側表面に接着され、上側フロントシートは
裏面外周部分に接着面を有し、裏面中央部分には接着面を有さない非接着部位を有し、下側フロントシートの上に重なるように接着され、
前記廃棄用袋は、前記上側フロントシート裏側非接着部位と下側フロントシートの隙間に、厚みを最小化するために薄い素材で、折り畳んだ状態で設置され、
前記廃棄用袋は、使用後の紙おむつを廃棄時に汚物の臭いを最小限にするべく密封し得るように非通気性シート製であって、
前記廃棄袋は容易に紙おむつから離脱しないように設置され、
前記上側フロントシートの少なくとも1箇所には、中に収められている廃棄用袋の取り出し口が設けられ、
美観性と利便性を兼ね備えていることを特徴とする廃棄用袋付き紙おむつ。
【請求項３】
請求項１または２に記載の廃棄用袋付き紙おむつにおいて、
前記廃棄用袋は該袋の一部がオムツ本体または前記フロントシートに接着されていることを特徴とする廃棄用袋付き紙おむつ。
【請求項４】
請求項１乃至３のいずれか１に記載の廃棄用袋付き紙おむつにおいて、
前記廃棄用袋の取り出し口には、収容される廃棄用袋が取り出せる程度の長さのミシン目が設けられ、
前記ミシン目の位置は、矩形のフロントシートの長辺側、短辺側、もしくは中央部の少なくとも1箇所であることを特徴とする廃棄用袋付き紙おむつ。
【請求項５】
請求項１乃至３のいずれか１に記載の廃棄用袋付き紙おむつにおいて、
前記廃棄用袋の取り出し口には、収容される廃棄用袋が取り出せる程度の長さの切れ目が設けられ、
前記廃棄用袋の取り出し口の位置は、矩形のフロントシートの長辺側、短辺側の少なくとも1箇所であり、
前記廃棄用袋の取り出し口の切れ目の一部は、廃棄用袋の離脱防止用に粘着テープで止められていることを特徴とする廃棄用袋付き紙おむつ。
【請求項６】
請求項１乃至３のいずれか１に記載の廃棄用袋付き紙おむつにおいて、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記袋取り出し口の切れ目の一部には、廃棄用袋の離脱防止用に開閉自在のマジックテープ（登録商標）が取り付けられていることを特徴とする廃棄用袋付き紙おむつ。
【請求項７】
使用後の紙おむつを、衛生的に廃棄するための廃棄用袋を紙おむつに取り付けた廃棄用袋付き紙おむつであって、
前記紙おむつは、前身ごろと後ろ身頃を有する紙おむつ本体部と、フロントシート部と、廃棄用袋と、を備え、
前記フロントシート部は裏面外周部分に接着面を有し、裏面中央部分には接着面を有さない非接着部位を有し、紙おむつ本体胴回り部表面に接着され、
前記廃棄用袋は、前記フロントシート部裏側非接着部位と紙おむつ本体表面との隙間に、厚みを最小化するために薄い素材で、折り畳んだ状態で設置され、
前記廃棄用袋は、使用後の紙おむつを廃棄時に、汚物の臭いを最小限にするべく密封し得るように非通気性シート製であって、
前記廃棄袋は容易に紙おむつから離脱しないように設置され、
前記フロントシートの少なくとも1箇所には、中に収められている廃棄用袋の取り出し口が設けられ、
美観性と利便性を兼ね備えていることを特徴とする廃棄用袋付き紙おむつ。
【請求項８】
使用後の紙おむつを、衛生的に廃棄するための廃棄用袋を紙おむつに取り付けた廃棄用袋付き紙おむつであって、
前記紙おむつは、前身ごろと後ろ身頃を有する紙おむつ本体部と、フロントシート部と、廃棄用袋と、を備え、
前記フロントシート部は、二枚重ねて紙おむつ本体胴回り部表面に設置され、
下側フロントシートは紙おむつ本体表面に接着され、上側フロントシートは裏面外周部分に接着面を有し、裏面中央部分には接着面を有さない非接着部位を有し、下側フロントシートの上に重なるように接着され、
前記廃棄用袋は、前記上側フロントシート裏側非接着部位と下側フロントシートの隙間に、厚みを最小化するために薄い素材で、折り畳んだ状態で設置され、
前記廃棄用袋は、使用後の紙おむつを廃棄時に、汚物の臭いを最小限にするべく密封し得るように非通気性シート製であって、
前記廃棄袋は容易に紙おむつから離脱しないように設置され、
前記上側フロントシートの少なくとも1箇所には、中に収められている廃棄用袋の取り出し口が設けられ、
美観性と利便性を兼ね備えていることを特徴とする廃棄用袋付き紙おむつ。
【請求項９】
請求項７または８に記載の廃棄用袋付き紙おむつにおいて、
廃棄用袋は該袋の一部がオムツ本体または前記フロントシートに接着されていることを特徴とする廃棄用袋付き紙おむつ。
【請求項１０】
請求項７乃至９のいずれか１に記載の廃棄用袋付き紙おむつにおいて、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記前記廃棄用袋の取り出し口の一部は、廃棄用袋の離脱防止用に粘着テープで止められていることを特徴とする廃棄用袋付き紙おむつ。
【請求項１１】
請求項７乃至９のいずれか１に記載の廃棄用袋付き紙おむつにおいて、
前記廃棄用袋の取り出し口には、折り畳んで収容される廃棄用袋が取り出せる程度の長さのミシン目が設けられ、
前記ミシン目の位置は、矩形のフロントシートの長辺側、短辺側、または中央部の少なくとも1箇所であることを特徴とする廃棄用袋付き紙おむつ。
【請求項１２】
請求項７乃至９のいずれか１に記載の廃棄用袋付き紙おむつにおいて、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記袋取り出し口の切れ目は、廃棄用袋の離脱防止用に開閉自在のマジックテープ（登録商標）が取り付けられていることを特徴とする廃棄用袋付き紙おむつ。
【請求項１３】
請求項1乃至１２のいずれか１に記載の廃棄用袋付き紙おむつにおいて、
前記紙おむつ廃棄用袋は、オムツ本体またはフロントシートに接着されている端部の近辺にミシン目が設けられ、
前記廃棄用袋は、前記ミシン目より切り取って袋を取り出して使用できることを特徴とする廃棄用袋付き紙おむつ。
【考案の詳細な説明】
【技術分野】
【０００１】
本考案は、使用後の紙おむつを衛生的に収容・廃棄するための紙おむつ廃棄用袋を紙おむつに取り付けられた廃棄用袋付き紙おむつに関する。尚、本願で用いられる紙おむつとしては、パンツ型のものや装着時に左右両脇部をファスニングテープで止めるタイプ（テープ式）のものが含まれる。
【背景技術】
【０００２】
近年、使い捨ての紙おむつは乳幼児用を始めとして、大人用、ペット用と多岐にわたって、日常生活の中で広範囲に利用されている。
【０００３】
従来より紙おむつには多数の創意工夫が施され、近年市場には、通気性や吸水性に富む素材で作成され、皮膚にやさしく使用感に優れた紙おむつが、比較的低価格で多く出回っている。
【０００４】
しかしながら、近年の紙おむつの需要の増加に伴い、使用後の紙おむつの廃棄に関するゴミ問題は、環境保全の観点からも重要である。着用時には従来の紙おむつと比較して変わりなく快適に使用でき、使用後には便利に衛生的に廃棄することを可能とする廃棄用袋付きの紙おむつがあれば有用である。
【０００５】
そこで考案者は、紙おむつ本来の重要な機能である通気性や着用者の動作性を損なうことなく、乳幼児が喜ぶ可愛い外観を崩さないで、使用後の廃棄を衛生的にすることを可能とする、廃棄用袋付き紙おむつを考案した。その結果、紙おむつの機能性と美観性また紙おむつ廃棄時の利便性とを兼ね備える、廃棄用袋付き紙おむつが作成できた。
【先行技術文献】
【特許文献】
【０００６】
【特許文献１】特開２００７−２３６９６７
【考案の概要】
【考案が解決しようとする課題】
【０００７】
本考案は、従来の紙おむつの機能性および美観性を損ねることなく、使用後の紙おむつを衛生的に廃棄することを可能とする、利便性に優れた廃棄用袋付き紙おむつを提供することを目的とする。
【課題を解決するための手段】
【０００８】
請求項１に記載された考案は、使用後の紙おむつを、衛生的に廃棄するための廃棄用袋を紙おむつに取り付けた廃棄用袋付き紙おむつであって、
前記紙おむつは、前身頃と後ろ身頃を有する紙おむつ本体部と、後ろ身頃背中側左右両側部に止着され、それぞれ左右方向に延設されるファスニングテープ部と、前記ファスニングテープの後ろ身頃に止着されない側の他端を止着するためのフロントシート部と、廃棄用袋と、を備え、
前記フロントシート部は裏面外周部分に接着面を有し、裏面中央部分には接着面を有さない非接着部位を有し、紙おむつ本体前身頃腹側表面に接着され、
前記廃棄用袋は、前記フロントシート部裏側非接着部位と紙おむつ本体表面との隙間に、厚みを最小化するために薄い素材で折り畳んだ状態で設置され、
前記廃棄用袋は、使用後の紙おむつを廃棄時に汚物の臭いを最小限にするべく密封し得るように非通気性シート製であって、
前記廃棄袋は容易に紙おむつから離脱しないように設置され、
前記フロントシートの少なくとも1箇所には、中に収められている廃棄用袋の取り出し口が設けられ、
美観性と利便性を兼ね備えていることを特徴とする。
【０００９】
請求項２に記載された考案は、使用後の紙おむつを、衛生的に廃棄するための廃棄用袋を紙おむつに取り付けた廃棄用袋付き紙おむつであって、
使用後の紙おむつを、衛生的に廃棄するための廃棄用袋を紙おむつに取り付けた廃棄用袋付き紙おむつであって、
前記紙おむつは、前身頃と後ろ身頃を有する紙おむつ本体部と、後ろ身頃背中側左右両側部に止着され、それぞれ左右方向に延設されるファスニングテープ部と、前記ファスニングテープの後ろ身頃に止着されない側の他端を止着するためのフロントシート部と、廃棄用袋と、を備え、
前記フロントシート部は、二枚重ねて紙おむつ本体部表面に設置され、
下側フロントシートは紙おむつ本体前身頃腹側表面に接着され、上側フロントシートは
裏面外周部分に接着面を有し、裏面中央部分には接着面を有さない非接着部位を有し、下側フロントシートの上に重なるように接着され、
前記廃棄用袋は、前記上側フロントシート裏側非接着部位と下側フロントシートの隙間に、厚みを最小化するために薄い素材で、折り畳んだ状態で設置され、
前記廃棄用袋は、使用後の紙おむつを廃棄時に汚物の臭いを最小限にするべく密封し得るように非通気性シート製であって、
前記廃棄袋は容易に紙おむつから離脱しないように設置され、
前記上側フロントシートの少なくとも1箇所には、中に収められている廃棄用袋の取り出し口が設けられ、
美観性と利便性を兼ね備えていることを特徴とする。
【００１０】
請求項３に記載された考案は、請求項１または２に記載の廃棄用袋付き紙おむつに係り、
廃棄用袋は該袋の一部がオムツ本体または前記フロントシートに接着されていることを特徴とする。
【００１１】
請求項４に記載された考案は、請求項１乃至３のいずれか１に記載の廃棄用袋付き紙おむつに係り、
前記廃棄用袋の取り出し口は、収容される廃棄用袋が取り出せる程度の長さのミシン目が設けられ、
前記ミシン目の位置は、矩形のフロントシートの長辺側、短辺側、もしくは中央部の少なくとも1箇所であることを特徴とする。
【００１２】
請求項５に記載された考案は、請求項１乃至３のいずれか１に記載の廃棄用袋付き紙おむつに係り、
前記廃棄用袋の取り出し口は、収容される廃棄用袋が取り出せる程度の長さの切れ目が設けられ
前記廃棄用袋の取り出し口の位置は、矩形のフロントシートの長辺側、短辺側の少なくとも1箇所であり、
前記廃棄用袋の取り出し口の切れ目の一部は、廃棄用袋の離脱防止用に粘着テープで止められていることを特徴とする。
【００１３】
請求項６に記載された考案は、請求項１乃至３のいずれか１に記載の廃棄用袋付き紙おむつに係り、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記袋取り出し口の切れ目は、廃棄用袋の離脱防止用に開閉自在のマジックテープ（登録商標）が取り付けられていることを特徴とする。
【００１４】
請求項７に記載された考案は、使用後の紙おむつを、衛生的に廃棄するための廃棄用袋を紙おむつに取り付けた廃棄用袋付き紙おむつであって、
前記紙おむつは、前身ごろと後ろ身頃を有する紙おむつ本体部と、フロントシート部と、廃棄用袋と、を備え、
前記フロントシート部は裏面外周部分に接着面を有し、裏面中央部分には接着面を有さない非接着部位を有し、紙おむつ本体胴回り部表面に接着され、
前記廃棄用袋は、前記フロントシート部裏側非接着部位と紙おむつ本体表面との隙間に、厚みを最小化するために薄い素材で、折り畳んだ状態で設置され、
前記廃棄用袋は、使用後の紙おむつを廃棄時に、汚物の臭いを最小限にするべく密封し得るように非通気性シート製であって、
前記廃棄袋は容易に紙おむつから離脱しないように設置され、
前記フロントシートの少なくとも1箇所には、中に収められている廃棄用袋の取り出し口が設けられ、
美観性と利便性を兼ね備えていることを特徴とする。
【００１５】
請求項８に記載された考案は、使用後の紙おむつを、衛生的に廃棄するための廃棄用袋を紙おむつに取り付けた廃棄用袋付き紙おむつであって、
前記紙おむつは、前身ごろと後ろ身頃を有する紙おむつ本体部と、フロントシート部と、廃棄用袋と、を備え、
前記フロントシート部は、二枚重ねて紙おむつ本体胴回り部表面に設置され、
下側フロントシートは紙おむつ本体表面に接着され、上側フロントシートは裏面外周部分に接着面を有し、裏面中央部分には接着面を有さない非接着部位を有し、下側フロントシートの上に重なるように接着され、
前記廃棄用袋は、前記上側フロントシート裏側非接着部位と下側フロントシートの隙間に、厚みを最小化するために薄い素材で、折り畳んだ状態で設置され、
前記廃棄用袋は、使用後の紙おむつを廃棄時に、汚物の臭いを最小限にするべく密封し得るように非通気性シート製であって、
前記廃棄袋は容易に紙おむつから離脱しないように設置され、
前記上側フロントシートの少なくとも1箇所には、中に収められている廃棄用袋の取り出し口が設けられ、
美観性と利便性を兼ね備えていることを特徴とする。
【００１６】
請求項９に記載された考案は、請求項７または８に記載の廃棄用袋付き紙おむつに係り、
廃棄用袋は該袋の一部がオムツ本体または前記フロントシートに接着されていることを特徴とする。
【００１７】
請求項１０に記載された考案は、請求項７乃至９のいずれか１に記載の廃棄用袋付き紙おむつに係り、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記廃棄用袋の取り出し口の一部は、粘着テープで止められていることを特徴とする。
【００１８】
請求項１１に記載された考案は、請求項７乃至９のいずれか１に記載の廃棄用袋付き紙おむつに係り、
前記廃棄用袋の取り出し口には、折り畳んで収容される廃棄用袋が取り出せる程度の長さのミシン目が設けられ、
前記ミシン目の位置は、矩形のフロントシートの長辺側、短辺側、または中央部の少なくとも1箇所であることを特徴とする。
【００１９】
請求項１２に記載された考案は、請求項７乃至９のいずれか１に記載の廃棄用袋付き紙おむつに係り、
前記廃棄用袋の取り出し口は、折り畳んで収容される廃棄用袋が取り出せる程度の長さの切れ目が設けられ、
前記廃棄用袋の取り出し口の位置は、矩形のフロントシートの長辺側、短辺側の少なくとも1箇所であり、
前記袋取り出し口の切れ目は、廃棄用袋の離脱防止用に開閉自在のマジックテープ（登録商標）が取り付けられていることを特徴とする。
【００２０】
請求項１３に記載された考案は、請求項1乃至１２のいずれか１に記載の廃棄用袋付き紙おむつに係り、
前記紙おむつ廃棄用袋は、オムツ本体またはフロントシートに接着されている端部の近辺にミシン目が設けられ、
前記廃棄用袋は、前記ミシン目より切り取って袋を取り出して使用できることを特徴とする。
【考案の効果】
【００２１】
本考案による廃棄用袋付き紙おむつによれば、紙おむつ廃棄時に使用後の紙おむつを丸め、廃棄用袋を紙おむつ本体に設置されるフロントシートの取り出し口から引き出して、該紙おむつを入れた後、該袋の入り口を縛ることによって、臭気等を防ぎ、簡単かつ衛生的に紙おむつを廃棄することができる。また、本考案による廃棄用袋付き紙おむつは、従来の紙おむつの外観を損ねず、通気性等の機能性に負の影響を与えることもないため有益であると考えられる。さらに、従来の製品に付加するものは主に廃棄用袋であって、安価なため、製造のコストアップは最小限にとどめられる。
【図面の簡単な説明】
【００２２】
【図１】本考案の実施の形態１に係る廃棄用袋付きパンツ型紙おむつの構成を示す説明用概略正面図である。
【図２】使用後の本考案の廃棄用袋付き紙おむつを丸めた状態を示す斜視図である。
【図３】本考案の廃棄用袋付き紙おむつから廃棄用袋を引き出した状態を示す斜視図である。
【図４】引き出された廃棄用袋の中に使用済み紙おむつを入れた状態の一例を示す斜視図である。
【図５】フロントシートの袋取り出し口から、中の廃棄用袋を取り出した状態を説明するための説明用正面図である。
【図６】本考案の実施の形態２に係る廃棄用袋付きテープ式紙おむつの構成を示す説明用概略正面図である。
【図７】本考案の実施の形態２に係る廃棄用袋付き紙おむつを丸めた状態にし、紙おむつから廃棄用袋を引き出した状態を示す斜視図である。
【考案を実施するための形態】
【００２３】
廃棄用の袋をテープ式紙おむつまたは、パンツ型紙おむつの前身ごろ腹側に設置されるフロントシート（テープ式紙おむつの後ろ身頃左右に設けられるファスニングテープを、着脱自在に前身ごろに接着するために設けられるテープ状のシートであって、乳幼児が好むような可愛い絵柄が施されているものが多い）と、紙おむつ本体表面の間に、外観上はわからない状態で折り畳んで収容され、従来の紙おむつの優れた機能性を維持しつつ、必要なときに取り出して、衛生的に紙おむつを廃棄することを可能とする廃棄用袋付き紙おむつに係るものである。なお、ファスニングテープの位置は紙おむつ本体胴回り側表面の1箇所であればよく、腹側に限らない。また、本考案の紙おむつは乳幼児用を念頭にして記載しているが、大人用、ペット用であってもよい。
【００２４】
本考案の紙おむつの特徴は、廃棄用袋が紙おむつに付いていて、紙おむつの廃棄の際に該袋を簡単に取り出すことによって、便利に衛生的に紙おむつを廃棄できる点にあるが、廃棄用袋がフロントシートの中に隠されていて見えないことにより、紙おむつ全体のデザイン性を損なわず、また紙おむつの重要な特性である通気性、着脱の容易さ、装着感等に悪影響を及ぼさないことにも特徴がある。
【実施例１】
【００２５】
図１は本考案の実施の形態１に係る廃棄用袋付きパンツ型紙おむつの構成を示す説明用概略正面図である。
【００２６】
図１に示された本考案に係る廃棄用袋付き紙おむつは、パンツのように穿くタイプのパンツ型の紙おむつであって、前身頃と後ろ身頃とを有する紙おむつ本体部と、フロントシート部と、フロントシート部と紙おむつ本体部表面の隙間に収容される廃棄用袋部と、粘着テープ部と、を有する。図１においては紙おむつ本体部後ろ身頃に設置されている。ただし、フロントシート部の位置はこれに限るものではなく、紙おむつ本体部前身頃の中央、左右両脇部のいずれであってもよいが、紙おむつの機能性に悪影響を及ぼさない位置が好ましい。
【００２７】
図１において、１１０は紙おむつ本体部であり、１１１は紙おむつ本体部後ろ身頃であり、１１２は紙おむつ本体部前身ごろである（１１２は、図１では１１１の裏側にあるため図示されていない）。１２０はフロントシート部であり、紙おむつ本体部後ろ身頃１１１の背中側表面に配置されている。１３０は、紙おむつ廃棄用袋であり、フロントシート部１２０と本体部１１０（図１の場合は後ろ身頃１１１）表面との隙間に、袋の厚みを最小化する状態で折り畳んで収納されており、引き出されない限り外からは見えない。１３１は廃棄用袋１３０の一部であり、袋が離脱しないように本体部またはフロントシート裏面に接着されている部分である。
【００２８】
通常のテープ式紙おむつの場合、フロントシートは紙おむつ本体前身ごろ表面にフロントシートの裏面全体を接着し設置されるが、本考案のフロントシートの場合は、フロントシート裏面の外周の部分のみを紙おむつ本体表面に接着し、裏面の外周以外の部分（フロントシート中央部分）は接着されず空洞となっている。また、図１においては、フロントシートの長辺下側の一部に袋を引き出すための取り出し口として、裏面外周部分の一部に接着されない部分（１２２）を有し、その切れ目１２２から中の袋を引き出すことができる。よってフロントシートの内側空洞部分に廃棄用袋を小さく薄く折り畳まれた状態で収容できるとともに、自在に取り出し口１２２から引き出すこともできる。
【００２９】
廃棄用袋１３０は、汚物の臭いを最小限にするべく密封し得るように非通気性シート製であって、フロントシート１２０と紙おむつ本体１１０表面の隙間に、厚みを最小化するために薄い素材で折り畳んだ状態で設置され、また紙おむつを装着している乳幼児が動き回っても容易に紙おむつから離脱しないように、廃棄用袋の一部（１３１）はオムツ本体表面またはフロントシート裏面に接着・固定されている。
【００３０】
１２２は廃棄用袋を引き出すための取り出し口であり、フロントシート部１２０の一部に設けられる。図１ではフロントシート１２０長辺下側の一部に設けられているが、フロントシートの長辺と重なっているため見えない。１２１は粘着テープである。通常のパンツ型紙おむつに設置される廃棄用テープの場合は、紙おむつの廃棄の際に使用済みの紙おむつを丸めた状態に保持する用として、本体部表面に折り畳んで設置されている。図１において粘着テープ１２１は、フロントシート上の取り出し口１２２の表面に設置され、フロントシート部の取り出し口１２２から中に収容される廃棄用袋がはみ出たり、離脱したりすることを防止する役目も担っている。
【００３１】
なお本考案においては廃棄用袋の飛び出しを防止するためには、この廃棄用の折り畳み粘着テープ（廃棄用テープ）を利用してもよいが必須ではなく、廃棄用テープよりも長さの短い粘着テープであってもよい。また該粘着テープは必須ではなく、他の方法によって廃棄用袋の飛び出しを防止することも可能である。
【００３２】
フロントシートの設置位置は、フロントシートを設置したことに因り乳幼児の動作性や紙おむつの通気性に悪影響を与え難い位置であればよく、図１の本体後ろ身頃側に限るものではない。また、図１においては図示されていないが、通常の紙おむつと同様に本考案の紙おむつのフロントシートにも、紙おむつのデザイン性に寄与するような幼児が好む絵柄が施されている。
【００３３】
図１においてはフロントシート部１２０は一重であって、本体部表面１１１との隙間に廃棄用袋１３０を収容しているが、その他の形状としては、該フロントシートが二重であってもよい。この場合紙おむつ本体表面に接着・固定される下側のフロントシートの上に、同様の形状のフロントシートを重ね、この上側フロントシート裏面外周部分を下側フロントシート表面に接着し、廃棄用袋取り出し口として裏面外周接着面の一部に接着面を作成しない部分を設けることにより、上下２枚のフロントシート間に廃棄用袋を収容し、必要なときに袋を引き出すことを可能とする。但し、フロントシートを二重とする場合も、他の特徴に関しては一重の場合と同様である。
【００３４】
図２は、図１に示された本考案の実施の形態１に係る廃棄用袋付き紙おむつを廃棄するために丸めた状態を示す斜視図である。廃棄用テープ１２１が紙オムツに着いている場合には、使用済み紙おむつ１１０はこれを使用して小さく丸めた状態に保持できる。ただし廃棄用テープを利用して紙おむつを丸めた状態に保持することは必須ではなく、廃棄用テープが無い場合には、紙おむつを畳んでから廃棄用袋に入れることでよい。
【００３５】
図３は、図２に示されるように本考案の廃棄用袋付き紙おむつを使用後に廃棄のために小さく丸めた状態にした後、フロントシート１２０内の取り出し口１２２から廃棄用袋１３０を取り出した様子を示す斜視図である。廃棄用袋１３０の一端は本体部表面またはフロントシート裏面に接着され（１３１）、袋を引き出した際にも固定されている。
【００３６】
図４は、図３に示されるように本考案の廃棄用袋付き紙おむつを使用後に廃棄のために小さく丸めた状態にした後、フロントシート１２０内の取り出し口１２２から廃棄用袋１３０を取り出した後、廃棄用袋１３０の中に入れた様子を示す斜視図である。引き出された廃棄用袋１３０を裏返し、中に紙おむつを入れた後、該廃棄用袋１３０の口を結ぶことによって、臭気等が漏れることなく衛生的に廃棄することができる。なお、廃棄用袋は紙おむつとともに燃えるゴミとして廃棄可能な素材から製造される。図４は一例であって、廃棄用袋の取り出し口の設置位置によって、袋への入れ方は異なる。
【００３７】
図５は、フロントシートの袋取り出し口から、中の廃棄用袋を取り出した様子を説明するための説明用正面図である。１２２は袋取り出し口であり、１３０は引き出された廃棄用袋である。１３２は、廃棄用袋の接着面１３１の近傍に設けられるミシン目である。１２１は粘着テープであり、通常は廃棄用袋の取り出し口１２２に仮止めされているが、袋１３０を取り出すために外したものである。
【００３８】
廃棄用袋の一部に設けられる接着面１３１は、紙おむつ本体またはフロントシート裏面の一部に接着され、紙おむつ装着時に袋が離脱することを防いでいる。使用後の紙おむつを廃棄する際には、図５に示されるように、廃棄用袋１３０を１３１の近傍に設けられるミシン目１３２より袋を切り取って、袋を紙おむつから引き離した後に、袋に紙おむつを入れて棄てることも可能である。
【実施例２】
【００３９】
図６は、本考案の実施の形態２に係る廃棄用袋付きテープ式紙おむつの構成を示す説明用概略正面図である。
【００４０】
図６に示された本考案に係る廃棄用袋付き紙おむつは、紙おむつの後ろ身頃左右に設けられるファスニングテープを、前身頃に設けられるフロントシートに着脱自在に接着して装着するタイプのテープ式の紙おむつであって、前身頃と後ろ身頃とを有する紙おむつ本体部と、後ろ身頃左右両脇部に設けられるファスニングテープ部と、フロントシート部と、フロントシート部と紙おむつ本体部表面の隙間に収容される廃棄用袋部と、を有する。
【００４１】
通常乳幼児用の紙おむつの場合、フロントシート部には乳幼児の好むような可愛い動物や草花の絵柄等のプリントが施されている。本考案の廃棄用袋は、該フロントシートの内側に折り畳んで設置され、引き出されない状態では外観上は見えないため、フロントシートの可愛いデザイン性を損なうことはない。
【００４２】
また、図６におけるテープ式紙おむつは、紙おむつ本体部腹側表面にファスニングテープを止着するためのフロントシートが設置され、その中に廃棄用袋が折り畳まれた状態で収容されているが、廃棄用袋を収容するフロントシートの位置は、本体部腹側に限るものでなく、本体胴回り部脇側表面や胴回り部背中側表面に設置することも可能である。
【００４３】
図６において、６１０は紙おむつ本体部であり、６１１は紙おむつ本体部後ろ身頃であり、６１２は紙おむつ本体部前身ごろである。６２０はフロントシート部であり、紙おむつ本体部前身頃６１２の腹側表面に配置される。６３０は紙おむつ廃棄用袋であり、フロントシート部６２０の中に収納されていて外からは見えない。６１３はファスニングテープであり、紙おむつ後ろ身頃６１１の背中側左右両側部にそれぞれ止着され、左右方向に延設されていて、紙おむつ装着時には、ファスニングテープ６１３の他端をそれぞれ前身頃（６１２）腹側表面に設置されるフロントシート部６２０に着脱自在に止着することができる。なお、図６においてはフロントシート６２０には星柄が施されているが、動物や草花等の絵柄でもよく、幼児が好む絵柄の付いた紙おむつのデザイン性は、本考案の廃棄用袋を付けることにより阻害されない。６２２は廃棄袋取り出し口として設けられるミシン目である。６３１は廃棄袋の離脱を防ぐために紙おむつ本体表面またはフロントシート裏面に接着されている部分である。
【００４４】
実施の形態１と同様に、本考案のフロントシートの接着方法は、フロントシートの裏面全体を紙おむつ本体表面に接着するのではなく、接着面はフロントシート裏面の外周の部分のみとし、裏面の外周以外の部分（フロントシート中央部分）は接着されないで空洞とする。該空洞に廃棄用袋を折り畳まれた状態で収容することができる。
【００４５】
また、図６においては、廃棄用袋の取り出し口としてミシン目が設けられ、必要なときに該ミシン目を開いて、自在に中の袋を取り出すことができる。図６の場合には、該ミシン目はフロントシート上側長辺近辺に設けられているが、その位置は下側長辺または短辺側または中央部のいずれか１箇所でよい。
【００４６】
また廃棄用袋の取り出し口としてはミシン目以外でもよく、図１における取出し口１２２のような、フロントシートの外周の一部に裏面に接着面を有しない部分を設け、その切れ目から中の袋を引き出すタイプであってもよい。
【００４７】
廃棄用袋６３０は、ファスニングテープ６１３と紙おむつ本体表面６１２の隙間に、厚みを最小化するために薄い素材で、折り畳んだ状態で設置されるが、紙おむつ装着時には廃棄用袋６３０は引き出されない限り外見上隠されていて見えない。また廃棄用袋６３０は、乳幼児が紙おむつ装着時に動き回っても容易に紙おむつから離脱しないように、袋の一部をオムツ本体またはフロントシートに接着して設置されている点は図１に示す実施例
１と同様である。
【００４８】
図７は使用後の廃棄用袋付き紙おむつを廃棄するために、小さく丸めた状態にして、紙おむつから廃棄用袋を引き出したところの状態を示す斜視図である。廃棄用袋６３０は、フロントシート６２０上側長辺近辺に設けられたミシン目６２２を開き、中から廃棄用袋６３０を取り出す。引き出された廃棄用袋６３０に小さく丸めた使用後の紙おむつを入れ、袋の入り口６３２を縛って衛生的に廃棄することができる。
【００４９】
廃棄用袋６３０は、図５に示されるように、接着部分６３１の近辺にミシン目を設けられ、紙おむつを廃棄する際には、該ミシン目より袋を切り取り紙おむつから離してから使用するタイプのものであってもよい。
【００５０】
図６及び図７において、フロントシート６２０は一重であるが、実施例１で説明したようにフロントシートを２枚重ねて設置し、２枚のフロントシートの間に廃棄用袋を収容する構造であってもよい。実施例２に係る廃棄用袋付き紙おむつに関しては、紙おむつのタイプがテープ式であって、実施例１のパンツ型と異なることにより生じる相違があるもののそれ以外は実施例１と同様であるため、その他の詳しい説明は省略する。
【００５１】
また本考案の実施例１および２の紙おむつは、公知の紙おむつに廃棄用袋が取り付けられることに特徴があり、紙おむつ本体の作成方法は公知であるため詳しい説明は省略する。
【産業上の利用可能性】
【００５２】
本考案により、廃棄用袋が紙おむつ本体表面の一部に、外から見えない形態で厚みを最小化した状態で収容され、必要なときに取り出せることにより、利便性を有するとともに美観にも優れた紙おむつを提供できる。
【符号の説明】
【００５３】
１１０      紙おむつ本体部
１１１      紙おむつ本体部後ろ身頃
１１２      紙おむつ本体部前身頃
１２０      フロントシート部
１２１      粘着テープ
１２２      廃棄用袋取り出し口
１３０      紙おむつ廃棄用袋
１３１      廃棄用袋接着部分
【図１】
0003157230.tif 000003
【図２】
0003157230.tif 000004
【図３】
0003157230.tif 000005
【図４】
0003157230.tif 000006
【図５】
0003157230.tif 000007
【図６】
0003157230.tif 000008
【図７】
0003157230.tif 000009